(57)【要約】【課題】二つ折りにした状態から簡易な操作で立体的に組み立てることができ、ケースの底面部の剛性が高く、且つ底面部上で物品の下部を確実に保持して物品を安定的に包装できるようにする。【解決手段】前面部２と後面部３の下端部に、横折れ線１０で内折れされる折り返しパネル８１，９１と、折り返しパネル８１，９１の端部から横折れ線１８を挟んで下方へ突出した底側パネル８２，９２を有する底フラップ８，９を設けてケース組み立て用シート１Ｓを形成する。底側パネル８２の両側には縦折れ線１９を挟んでケース内に内折れされる支持パネル８３，８３がそれぞれ設ける。シート１Ｓを二つ折りした状態で、底フラップ９の横折れ線１８に沿って外折れさせた底側パネル９２を、底フラップ８の横折れ線１８に沿って内折れさせた底側パネル８２の表面に重ね合せて固着することによりケースの底面部７を構成する。【選択図】図２
2014034407.tif 000002
【特許請求の範囲】
【請求項１】
表面に折れ線が設けられた所定形状のプラスチックシートであって折れ線に沿ってシートを折り曲げることにより、有底筒形の包装ケースに組み立てられるケース組み立て用シート（１Ｓ）において、
ケースの前後となる前面部（２）と後面部（３）と前記両面部の少なくとも一方の側端に設けられた糊代片（５）とが縦折れ線（４，６）で区画され、
前面部（２）と後面部（３）の下端部には横折れ線（１０）を挟んで底フラップ（８，９）がそれぞれ設けられ、
両底フラップ（８，９）は、前記横折れ線（１０）で内折れされる折り返しパネル（８１，９１）と、折り返しパネル（８１，９１）の端部から横折れ線（１８）を挟んで下方へ突出した底側パネル（８２，９２）を有するとともに、一方の底フラップ（８１）の底側パネル（８２）の両側には縦折れ線（１９）を挟んでケース内に内折れされる支持パネル（８３，８３）がそれぞれ設けられ、
当該シートを前面部（２）と後面部（３）の間の縦折れ線（４）に沿って二つ折りした状態で、一方の底フラップ（９）の横折れ線（１８）に沿って外折れさせた底側パネル（９２）を、他方の底フラップ（８）の横折れ線（１８）に沿って内折れさせた底側パネル（８２）の表面に重ね合せて固着することによりケースの底面部（７）が構成されるように設けられたことを特徴とするケース組み立て用シート（１Ｓ）。
【請求項２】
前面部（２）と後面部（３）の何れか一方の上端部に差込み片（１３ａ）付きの蓋面部（１３）が折れ線（１１）を挟んで設けられ、他方の上端部にはその両側に折れ線（１６）を挟んでケース内に内折れされる支持パネル（１５，１５）がそれぞれ設けられているとともに両支持パネル（１５，１５）の間の根元部分に前記差込み片（１３ａ）が係合する凹溝（１４）が設けられた構成を有することを特徴とする請求項１に記載のケース組み立て用シート（１Ｓ）。
【請求項３】
底フラップ（８，９）の折り返しパネル（８１，９１）に、底側パネル（８２，９２）の両側端部間の幅と同幅の間隔を開けて一対の縦折れ線（２０，２０）が設けられた構成を有することを特徴とする請求項１又は２に記載のケース組み立て用シート（１Ｓ）。
【請求項４】
請求項１〜３の何れかに記載のケース組み立て用シート（１Ｓ）をその表面に設けられた折れ線に沿って折り曲げ、前面部（２）と後面部（３）の間の縦折れ線（４）に沿ってシートを二つ折りした状態で、糊代片（５）を前面部（３）又は後面部（４）の側端部に固着するとともに、一方の底フラップ（９）の外折れさせた底側パネル（９２）と他方の底フラップ（８）の内折れさせた底側パネル（８２）を固着して構成され、二つ折りの状態から前記他方の底フラップ（８）を横折れ線（１０）に沿って内折れさせてケース内に押し入れることにより有底筒形に組み立てられることを特徴とする包装ケース（１）。
【請求項５】
請求項４に記載の包装ケース（１）に物品（Ｇ）が収納されてなる包装体。
【発明の詳細な説明】
【技術分野】
【０００１】
本発明は、透明度の高いプラスチックにより成形されたシートを所定形状に打ち抜き、その表面に形成された折れ線に沿って折り曲げて組み立てられ、化粧品や日用品その他の物品を収納して販売や展示に供するのに好適なプラスチックシート製の包装ケース及びこれを組み立てるためのケース組み立て用シートの構造に関する。
【背景技術】
【０００２】
口紅や香水などの円柱形の外観を呈する物品を包装するケースとして、例えば図８に示されるように、所定形状に裁断されたシートであってその表面が、折れ線１０１によりケースの正面部１０２、背面部１０３、糊代片１０４、蓋面部１０５、第１連結片１０６ａ及び第２連結片１０６ｂからなる底面部１０６の各面部に区画されたシート１００Ｓを折り曲げて組み立てられる構成のものが知られている。
【０００３】
図示したケース１００は、シート１００Ｓを二つ折りに折り曲げた状態で、糊代片１０４を正面部１０２の端部側面に折り重ねて固着するとともに内折れさせた第１連結片１０６ａと第２連結片１０６ｂの先端部同士を固着して構成され、扁平な二つ折りの状態からケース１００を押し開き、ケース１００の底部で山形に屈曲した底面部１０６上に物品１０７を載せて収納し、蓋面部１０５を湾曲した折れ線１０１に沿って折り曲げて物品１０７の収納口である上部開口を閉鎖するとともに、蓋面部１０５の切れ目１０５ａに沿って形成された付勢片部１０５ｂで物品１０７を下方へ押圧することで、蓋面部１０５と底面部１０６とで物品１０７の上下端部を挟持して保持し、これによりケース１００の内部で物品１０７が回転したり収納位置がずれたりすることを防止するように設けられている（例えば特許文献１参照）。
【先行技術文献】
【特許文献】
【０００４】
【特許文献１】特開２０１１−６８３７５号公報
【発明の概要】
【発明が解決しようとする課題】
【０００５】
図示したケース１００は、物品１０７が載る底面部１０６の剛性が低く、比較的重い物品１０７の包装には適さないばかりか、軽量な物品１０７を包装したときにも、ケース１００の搬送中に上下に振動するなどして物品１０７を介して下方向の荷重が加わると、底面部１０６が潰れたり変形したりし易い。底面部１０６の剛性を高くするため大きな厚みのシート１００Ｓを用いたのでは、材料費が嵩張って包装に要するコストが高くならざるを得ないという問題がある。
また、ケース１００に物品１０７を収納した状態で、物品１０７の上部周面が蓋面部１０５の切れ目１０５ａに係合するため、物品１０７の上部の位置がずれることはないが、物品１０７の下部は逆Ｖ字形に屈曲した底面部１０６上に載っているに過ぎないので、搬送中の振動などを受けてケース１００に横方向の荷重が加わると、物品１０７の下部がガタついたいり底面部１０６上をスライドしたりするなどして、ケース１００内で物品１０７が傾いてしまうことがある。
【０００６】
本発明は従来技術の有するこのような問題点に鑑み、所定形状のプラスチックシートを折り曲げて有底筒形に組み立てられる包装ケースにおいて、二つ折りにした状態から簡易な操作で立体的に組み立てることができ、組み立てられたケースの底面部の剛性が高く、且つ底面部上で物品の下部を確実に保持して物品を安定的に包装することができるようにすることを課題とする。
【課題を解決するための手段】
【０００７】
前記課題を解決するため本発明は、表面に折れ線が設けられた所定形状のプラスチックシートであって折れ線に沿ってシートを折り曲げることにより、有底筒形の包装ケースに組み立てられるケース組み立て用シートにおいて、
ケースの前後となる前面部と後面部と前記両面部の少なくとも一方の側端に設けられた糊代片とが縦折れ線で区画され、
前面部と後面部の下端部には横折れ線を挟んで底フラップがそれぞれ設けられ、
両底フラップは、前記横折れ線で内折れされる折り返しパネルと、折り返しパネルの端部から横折れ線を挟んで下方へ突出した底側パネルを有するとともに、一方の底フラップの底側パネルの両側には縦折れ線を挟んでケース内に内折れされる支持パネルがそれぞれ設けられ、
当該シートを前面部と後面部の間の縦折れ線に沿って二つ折りした状態で、一方の底フラップの横折れ線に沿って外折れさせた底側パネルを、他方の底フラップの横折れ線に沿って内折れさせた底側パネルの表面に重ね合せて固着することによりケースの底面部が構成されるように設けられたことを特徴とする。
【０００８】
これによれば、前記構成のケース組み立て用シートをその表面に設けられた折れ線に沿って折り曲げ、前面部と後面部の間の縦折れ線に沿ってシートを二つ折りした状態で、糊代片を前面部又は後面部の側端部に固着するとともに、一方の底フラップの外折れさせた底側パネルと他方の底フラップの内折れさせた底側パネルを固着して包装ケースに組み立てられ、二つ折りの状態から前記他方の底フラップを横折れ線に沿って内折れさせてケース内に押し入れることにより有底筒形の包装ケースに組み立てることができる。
組み立てられた包装ケースは、各折れ線に沿って折り曲げられた状態で、糊代片を介して筒状に一つながりに接続した前面部と後面部がそれぞれの両側の縦折れ線で二つ折りに折れ曲がって上下に重なり、両底フラップの内、一方の底フラップは、前面部と後面部の下辺である横折れ線に沿って包装ケースの内側に折り曲げられ、他方はケース下方に突出して折り畳まれる。二つ折りに折り畳んだ状態で包装ケースを保管したり運搬したりすれば、多数の包装ケースを小さな収容スペースに積み重ねておくこが可能であり、保管や運搬のためのスペースが嵩張ることはない。
【０００９】
二つ折りに折り畳まれた状態から包装ケースを組み立てるには、包装ケースを手で把持して前記折れ重なった前面部と後面部の縦折れ線に沿った両側部に指を掛け、両側部を指で挟む要領で当該両側部にケース内方向きの力を加えれば、前記縦折れ線を軸に前面部と後面部が開く方向に変形し、さらに、ケース下方に突出して折り畳まれた底フラップを横折れ線に沿って内折れさせてケース内に押し入れれば、ケース内側に折り畳まれていた底フラップとともに両底フラップが前記前面部と後面部の下辺間に展開して一体の底面部を構成し、上面を開口した立体的なケース形態に組み立てることができる。
すなわち、前記二つ折り状態の前面部と後面部の両側部を把持して両側部を近づける方向に力を加えれば、重なっていた前面部と後面部が両側部に沿った縦折れ線を軸に互いに遠ざかる向きに湾曲して両面部間に開口が形成され、この開口内にケース下方に突出して折り畳まれた底フラップをケース内に押し入れれば、両底フラップの折り返しパネルが前面部と後面部の内面に圧接して包装ケースの底部側開口面を押し開かせるとともに、両底フラップの互いに固着した底側パネル同士が底部側開口面内に繰り出して扁平状に保形され、包装ケースは有底筒形に組み立てられる。
【００１０】
組み立てられた包装ケースは、底面部を構成する両底フラップの折り返しパネルがケース下端部で内折れして前面部と後面部の内面に重なって圧接し、これに伴い一体に固着された両底側パネルが折り返しパネルの端部で折れ曲がり、底部側開口面内に繰り出して両折り返しパネルの端部間に平坦状に架け渡される。両底側パネルが両折り返しパネルの端部間に架け渡されることで、両底側パネルがその根元部で両折り返しパネルを前面部と後面部の内面へ押し付ける力が作用して、互いに重なり合う前面部と後面部の内面と両折り返しパネルの内面との密着度が極めて高くなる。そのため、二つ折りの状態から一旦両底フラップをケース内に押し入れてケースが立体的に組み立てられたならば、両底フラップにより構成された底面部に上方から強い力を加えない限り、両折り返しパネルが前面部と後面部の内面から捲れたり両折り返しパネルの端部間に架け渡された底側パネルが潰れたりするなどして前記底面部が変形するようなことはなく、比較的重い物品であってもこれを底面部上に載せて安定的に収納することができる。両底フラップにより構成される底面部の剛性が高いので、搬送中の振動や衝撃により物品を通して下向きの荷重が加わっても、底面部が潰れたり変形したりするようなことはない。
また、両底側パネルが折り返しパネルの端部で折れ曲がり、底部側開口面内に繰り出すことにより、一側の底フラップの底側パネルの両側に設けた支持パネルが、底側パネルの左右両側で折れてケース上方へ屈曲する（図１参照）。この上方へ屈曲した支持パネルは、底側パネル上に物品を載せたときに物品下部の両側に配置されて物品の位置を規制するように機能し、ケースが振動したり傾いたりしても支持パネルが物品の側面に当接して物品の下部を底側パネル上に保持せしめ、ケース内で物品の収納位置がずれたり傾いたりすることを防止することができる。
【００１１】
そして、組み立てられた包装ケースの上部開口から物品を収納し、別成形した蓋面部、或いは前面部と後面部の何れか一方の上端に一体に設けた蓋面部を上部開口に取り付けて開口を閉鎖することで物品の包装が完了し、かかる包装体を店頭での陳列や展示販売に供することができる。
蓋面部を一体に設ける場合に前記構成のケース組み立て用シートは、前面部と後面部の何れか一方の上端部に差込み片付きの蓋面部が折れ線を挟んで設け、他方の上端部にはその両側に折れ線を挟んでケース内に内折れされる支持パネルをそれぞれ設けるとともに両支持パネルの間の根元部分に前記差込み片が係合する凹溝を設けた構成とすることが好ましい。
これによれば、凹溝に差込み片を係合させることで、蓋面部はケースの上部開口を閉鎖する位置に固定され、また、ケース内に内折れされた支持パネルがケースに収納された物品の左右両側に配置されて、物品上部が傾いたときに支持パネルが物品の側面に当接して傾きを防止し、前記底面部に設けられた支持パネルと相俟って、ケースに収納された物品を直立状態で当初の収納位置に確実に保持することができる。
【００１２】
前記構成のケース組み立て用シートにおいて、ケース内に両底フラップを押し込んで底面部を構成したときに、前面部と後面部の内面に両折り返しパネルがより強く圧接して重なり合わさるようにするため、底フラップの折り返しパネルに、底側パネルの両側端部間の幅と同幅の間隔を開けて一対の縦折れ線が設けられていることが好ましい。折り返しパネルに一対の縦折れ線を設けた場合、ケースの底部側開口面は平面視略々六角形状となる。
また、ケースに収納された物品の下部を支持する支持プレート、或いは上部を支持する支持プレートの面内には、包装ケースの組み立てに連動してケース内方に折れ曲がるように適宜な折れ線を設けることができる。
【００１３】
前記構成において、ケース組み立て用シートを構成するプラスチックシートの材質としては、耐折性が良好なポリエステル、ポリプロピレン、ポリエチレン、ポリカーボネート、或いはポリ乳酸などの生物由来性樹脂、その他の樹脂単体又はこれらの複合体からなるプラスチックシートを用いることができる。特にポリエステル製のシートは、透明性が良好で剛性が高い点で好ましく、中でも未延伸のポリエステル製シートは、より透明性が良好で且つ未延伸であるためシートの方向に関係なく強度が高い点で好ましい。
プラスチックシートの肉厚は、０．１〜０．８ｍｍに設定することができる。０．１ｍｍより薄いとシート面板の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
プラスチックシートの表面に形成される、折れ線である折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などプラスチックシートを罫線に沿って折り曲げることが可能な適宜な種類の罫線をケースの寸法やプラスチックシートの材質、剛性、厚みなどに応じて適宜に設定することができる。
ケース組み立て用シートを糊代片やパネル面同士を固着する手段は、接着剤や粘着剤、片面や両面粘着テープなど、適宜な固着手段を用いることができる。
なお、本発明は開口面が円形や略円形、楕円形、略楕円、或いは方形状や多角形状、その他の形状を呈する、二つ折りに畳まれた状態から立体的に組み立てられる筒形の包装ケースに適用可能である。
【図面の簡単な説明】
【００１４】
【図１】本発明の一実施形態の包装ケースの外観図である。
【図２】図１の包装ケースの外面側のシート展開図である。
【図３】図１の包装ケースを組み立てる工程をシートの内面側を示して説明するための図である。
【図４】図３のシートを折り曲げて組み立てられた二つ折り状の包装ケースの背面図（Ａ）とケース下端部の拡大外観図（Ｂ）である。
【図５】図１の包装ケースの下部拡大外観図である。
【図６】図１の包装ケースに物品を収納した状態の横断面（Ａ）と同図中のＢ−Ｂ線切断断面図（Ｂ）である。
【図７】底フラップの支持パネルの面内に折れ線を設けたシート要部拡大図である。
【図８】従来の包装ケースの外観図（Ａ）とシート展開図（Ｂ）である。
【発明を実施するための形態】
【００１５】
本発明の好適な実施形態を図面に基づいて説明する。なお、以下の説明において、シートの表面に設けられた折れ線のうち、横折れ線は縦折れ線に対して垂直に交差する向きに設けられた折れ線、斜め折れ線は縦折れ線と横折れ線に対して斜めに交差する向きに設けられた折れ線をいう。
【００１６】
図１は本発明の一実施形態の包装ケースを示しており、この包装ケース１は、図２に示されるケース組み立て用シート１Ｓを折り曲げて、化粧品などの縦長な円柱形の物品Ｇを収納し、展示棚に複数個を並べて或いは展示フックに吊下げるなどして、店頭での展示販売に供されるように構成したものである。
【００１７】
ケース組み立て用シート１Ｓは、透明なプラスチックシートを所定形状に打抜き、その表面に複数の折れ線を付設して形成されており、図２に示されるように、包装ケース１の前後となる前面部２と後面部３を縦折れ線４で区画するとともに前面部２の側端に設けられた糊代片５を縦折れ線６で区画し、前面部２と後面部３の下端部に、それぞれ互いに組み合わさって包装ケース１の底面部７を構成する底フラップ８，９をそれぞれ突設し、且つ前後両面部２、３と底フラップ８，９の境界を横折れ線１０，１０で区画して形成してある。
【００１８】
より詳しくは、前面部２と後面部３はともに周囲が縦長な方形に縁取られてなり、後面部３の上端部には、斜め折れ線１１ａ，１１ａと横折れ線１１ｂと縦折れ線１１ｃ，１１ｃからなる折れ線１１で区画されていて先端に横折れ線１２を挟んで差込み片１３ａが突設させた蓋面部１３が設けられ、前面部２の上端部中央には、前記差込み片１３ａが係合する凹溝１４を設けるとともに凹溝１４の両側に略々三角形状の支持パネル１５，１５を突設し、且つ両支持パネル１５，１５と前面部２の上端部との境界を斜め折れ線１６，１６で区画して形成してある。
また、後面部３の上部には、前記横折れ線１２の下側部分を略コ字状の切り込みを入れて囲い，且つその中央に陳列用のフックが貫通する通孔１７ａを形成してなる吊り下げ片１７を設けてある。
【００１９】
前面部２と横面部３の下端部に突設された底フラップ８，９は、ともに前記横折れ線１０，１０で内折れされる折り返しパネル８１，９１と、折り返しパネル８１，９１の端部から横折れ線１８，１８を挟んで下方へ突出した底側パネル８２，９２とを有し、底フラップ８の底側パネルの８１両側には縦折れ線１９を挟んで、ケース内に内折れされる略々三角形状の支持パネル８３，８３を突設して形成してある。
また、折り返しパネル８１，９１の面内には、それぞれ底側パネル８２，９２の両側端部間の幅と同幅の間隔を開けて一対の縦折れ線２０，２０を設けてある。
【００２０】
このように形成されたケース組み立て用シート１Ｓは以下のようにして包装ケース１に組み立てることができる。
先ず、図３に示されるように、包装ケース１の内側となる面を上側に向けてシート１Ｓを置いた状態で、底フラップ８の底側パネル８２を横折れ線１８に沿って内折する一方、底フラップ９の折り返しパネル８１を横折れ線１０に沿って内折れするとともに底側パネル９２を横折れ線１８に沿って外折れさせ、当該外折れした底側パネル９２の表面と糊代片４の表面とに接着剤２１を塗布する。
次いで、前面部２、後面部３及び糊代片５を縦折れ線４，６に沿ってそれぞれ内折れさせ、糊代片５を後面部３の側端外面に接着して前後両面部２，３を一体の筒状となし、これとともに底フラップ９の底側パネル９２を底フラップ８の底側パネル８２の外面に一体に接着することで二つ折り状の包装ケース１が組み立てられる。
組み立てられた包装ケースは、図４に示されるように、糊代片５を介して筒状に一つながりに接続した前面部２と後面部３がそれぞれの両側の縦折れ線４，６で二つ折りに折れ曲がって上下に重なり、底フラップ９は前面部２と後面部３の下辺である横折れ線６に沿って包装ケース１の内側に折り曲げられ、底フラップ８はケース下方に突出して折り畳まれる。かかる二つ折り状態で収容スペースを嵩張らせることなく保管や運搬に供することができる。
【００２１】
二つ折りに折り畳まれた包装ケース１を立体的に組み立てるには、包装ケース１を把持して前面部２と後面部３の両側部に指を掛けて両側部が近づく方向に力を加えれば、重なっていた前面部２と後面部３が両側部に沿った縦折れ線４，６を軸に互いに遠ざかる向きに開いて湾曲し、さらに、ケース下方に突出して折り畳まれた底フラップ８を横折れ線１０に沿って内折れさせてケース内に押し入れれば、ケース内側に折り畳まれていた底フラップ９とともに両底フラップ８，９が前面部２と後面部３の下辺間に展開して一体の底面部７を構成し、上面を開口した立体的なケース形態に組み立てることができる。
すなわち、前記二つ折り状態の前面部２と後面部３の両側部を把持して両側部を近づける方向に力を加えれば、重なっていた前面部２と後面部３が両側部に沿った縦折れ線４，６を軸に互いに遠ざかる向きに湾曲して両面部間に開口が形成され、この開口内にケース下方に突出して折り畳まれた底フラップ８をケース内に押し入れれば、両底フラップ８，９の折り返しパネル８１，９１がそれぞれ縦折れ線２０，２０で屈曲しつつ前面部２と後面部３の内面に強く圧接して、包装ケース１の底部側開口面を押し開かせた状態に保持し、これとともに両底フラップ８，９の互いに固着した底側パネル８２，９２同士が底部側開口面内に扁平状に繰り出して平坦な底面部７を構成し、包装ケース１は有底筒形に保形される。
【００２２】
そして、前記立体的に組み立てられた包装ケース１内にその上部開口から物品Ｇを収納したならば、上部開口を折れ線１２に沿って折り曲げた蓋面部１３を被せて閉鎖し、差込み片１３ａを凹溝１５に係合させてケース内を密閉することにより、ケース内に包装された物品Ｇを店頭で陳列したり展示販売に供したりすることができる。
【００２３】
立体的に組み立てられた包装ケース１は、底面部７を構成する両底フラップ８，９の折り返しパネル８１，９１がケース下端部で内折れして前面部２と後面部３の内面に重なって圧接し、これに伴い一体に固着された両底側パネル８２，９２が折り返しパネルの端部で折れ曲がり、底部側開口面内に繰り出して両折り返しパネル８１，９１の端部間に平坦状に架け渡され、これにより両底側パネル８２，９２がその根元部で両折り返しパネル８１，９１を前面部２と後面部３の内面へ押し付ける力が作用して、互いに重なり合う前面部２と後面部３の内面と両折り返しパネル８１，９１の内面との密着度が極めて高くなる。
そのため、二つ折りの状態から一旦両底フラップ８，９をケース内に押し入れてケースが立体的に組み立てられたならば、両底フラップ８，９により構成された底面部７に上方から強い力を加えない限り、両折り返しパネル８１，９１が前面部２と後面部３の内面から捲れたり両折り返しパネル８１，９１の端部間に架け渡された底側パネル８２，９２が潰れたりするなどして底面部７が変形するようなことはなく、比較的重い物品であってもこれを底面部７上に載せて安定的に収納することができる。
【００２４】
また、包装ケース１を立体的に組み立てた状態で、図５及び図６に示されるように、ケースの底部側において、両底側パネル８２，９２が折り返しパネル８１，９１の端部で折れ曲がり、底部側開口面内に繰り出すことにより、底側パネル８２の両側に設けた支持パネル８３，８３が底側パネル８２の左右両側で折れてケース上方へ屈曲し、また、ケースの蓋部側においても、支持パネル１５，１５が前面部２の上端でケース下方へ屈曲する。
これら包装ケース１の上下両部で屈曲した支持パネル１５，１５及び８３，８３は、底面部７上に物品Ｇを載せたときに物品上下両部の両側に配置されて物品Ｇの位置を規制するように機能し、包装ケース１が振動したり傾いたりしても上下の支持パネル１５，１５及び８３，８３が物品Ｇの側面に当接して物品Ｇの位置及び向きを規制し、ケース内で物品Ｇの収納位置がずれたり傾いたりすることを防止して、物品Ｇを直立状態で当初の収納位置に確実に保持することができる。
【００２５】
本形態の包装ケース１は、前記の通り、底面部７の剛性が高いので、搬送中の振動や衝撃により物品を通して下向きの荷重が加わっても、底面部７が潰れたり変形したりするようなことはなく、また、包装ケース１に収納された物品Ｇは、折り返しパネル８１，９１の端部間に架け渡された底側パネル８２，９２上に載ってケース内に包持され、包装ケース１に下向きの荷重や衝撃がかかっても、底側パネル８２，９２がこれを吸収して物品Ｇに傷がついたり破損したりすることを効果的に防止し、収納された物品Ｇを安全に保護して包装することが可能である。
【００２６】
なお、図示したケース組み立て用シート１Ｓ及び包装ケース１は、本発明の実施形態の一例を示すものであり、本発明はこれらに限定されず、収納する物品の形態や包装の態様などに応じて他の適宜な形態で構成することが可能である。
ケースに収納された物品Ｇの下部を支持する支持プレート８３，８３、或いは上部を支持する支持プレート１５，１５の面内には、包装ケース１の組み立てに連動してケース内方に折れ曲がるようにするため、例えば図７に示されるような折れ線２２を適宜に設けてもよい。
【符号の説明】
【００２７】
１  包装ケース、１Ｓ  ケース組み立て用シート、２  前面部、３  後面部、５  糊代片、６  縦折れ線、７  底面部、８，９  底フラップ、８１，９１  折り返しパネル、８２，９２  底側パネル、８３  支持パネル、１０  横折れ線、１１  折れ線、１２  横折れ線、１３  蓋面部、１３ａ  差込み片、１４  凹溝、１５  支持パネル、１６  斜め折れ線、１７  吊り下げ片、１７ａ  通孔、１８  横折れ線、１９  縦折れ線、２０  縦折れ線、２１  接着剤、２２  折れ線、Ｇ  物品
【図１】
2014034407.tif 000003
【図２】
2014034407.tif 000004
【図３】
2014034407.tif 000005
【図４】
2014034407.tif 000006
【図５】
2014034407.tif 000007
【図６】
2014034407.tif 000008
【図７】
2014034407.tif 000009
【図８】
2014034407.tif 000010